(57)【要約】  【課題】  表面及び側面から視認可能な埋め込み部分を有する積層構造の遊技用代用貨幣を提供する。  【解決手段】  遊技用代用貨幣１０は、複数のプラスチックの層が熱圧着により積層され、少なくとも中間に着色層１２を備え、着色層１２を挟んで両側に薄色層１１を積層して、側面に積層方向の縞模様を形成し、着色層１２により遊技用代用貨幣１０の価値が特定可能な構成を有する。複数のプラスチックの層の最外層以外の層にＲＦＩＤ１６が内蔵され、薄色層１１の少なくとも一層には遊技用代用貨幣１０の種類を表す種類パーツ１３が埋め込まれて、側面及び表面から種類パーツ１３が認識可能な形状を有する。ＲＦＩＤ１６は、遊技用代用貨幣１０の価値及び種類パーツ１３が持つ遊技用代用貨幣１０の種類と関連する情報を備えている。【選択図】  図１
2020173837.tif 000002
【特許請求の範囲】
【請求項１】
複数のプラスチックの層が熱圧着により積層され、少なくとも中間に着色層を備え、前記着色層を挟んで両側に薄色層を積層して、側面に積層方向の縞模様を形成し、前記着色層により遊技用代用貨幣の価値が特定可能な構成を有し、
前記複数のプラスチックの層の最外層以外の層にＲＦＩＤが内蔵され、
前記薄色層の少なくとも一層には遊技用代用貨幣の種類を表す種類パーツが埋込まれて、側面及び表面から前記種類パーツが認識可能な形状とし、
前記ＲＦＩＤは、前記遊技用代用貨幣の価値及び前記種類パーツで表される遊技用代用貨幣の種類と関連する情報を備えたものである、遊技用代用貨幣。
【請求項２】
前記種類パーツの色は、前記着色層の色と異なる、請求項１に記載の遊技用代用貨幣。
【請求項３】
前記種類パーツの色は、前記着色層の色と同じである、請求項１に記載の遊技用代用貨幣。
【請求項４】
前記種類パーツは、互いに異なる複数の色を含む、請求項１に記載の遊技用代用貨幣。
【請求項５】
前記種類パーツは、前記遊技用代用貨幣の種類として、ＶＩＰ用かマス用かの区別を表す、請求項１から４のいずれかに記載の遊技用代用貨幣。
【請求項６】
前記種類パーツは、前記遊技用代用貨幣の種類として、キャッシュチップであるか、ローリングチップであるか、プロモーションチップであるかの区別を表す、請求項１から５のいずれかに記載の遊技用代用貨幣。
【請求項７】
前記種類パーツは、遊技用代用貨幣の周方向に等角度間隔で複数個配置されている、請求項１に記載の遊技用代用貨幣。
【請求項８】
着色層及び薄色層を含む複数のプラスチックの層を準備する工程と、
前記薄色層に遊技用代用貨幣の種類を表す種類パーツを埋め込んで種類パーツ含有層を形成する工程と、
少なくとも中間に着色層を配置し、前記着色層を挟んで両側に種類パーツ含有層を積層し、更に前記複数のプラスチックの層間にＲＦＩＤを配置して、熱圧着により各層を圧着して多層積層板を形成する多層積層工程と、
前記多層積層板から、個別の遊技用代用貨幣を打ち抜く打ち抜き工程と、を有し、
前記打ち抜き工程では、多層積層板から遊技用代用貨幣を打ち抜く打ち抜きラインが前記種類パーツを横断するように多層積層板の打ち抜きし、打ち抜き後の前記遊技用代用貨幣の側面及び表面から前記種類パーツが認識可能な形状となるように多層積層板の打ち抜きを行う、遊技用代用貨幣の製造方法。
【請求項９】
前記種類パーツ含有層を形成する工程では、複数個の前記種類パーツが打ち抜き予定の遊技用代用貨幣の周方向に等角度間隔で埋め込まれる、請求項８に記載の遊技用代用貨幣の製造方法。
【請求項１０】
前記遊技用代用貨幣の価値及び前記種類パーツで表される遊技用代用貨幣の種類と前記ＲＦＩＤの情報とを関連付けるデータベース作成工程を、更に備えた、請求項８又は９に記載の遊技用代用貨幣の製造方法。
【請求項１１】
表面に遊技用代用貨幣の価値を表す表示を備え、
少なくとも中間に着色層を有することで側面に積層方向の縞模様を形成し、前記着色層により遊技用代用貨幣の価値が特定可能な構成を有し、
前記着色層とは異なる色で形成され側面及び表面から認識可能な位置に種類パーツが埋め込まれており、
前記種類パーツは遊技用代用貨幣の価値以外の種類を表す、遊技用代用貨幣。
【請求項１２】
内部にＲＦＩＤを内蔵し、
前記ＲＦＩＤは、前記遊技用代用貨幣の価値及び前記種類パーツが持つ遊技用代用貨幣の種類と関連する情報を備えたものである、請求項１１に記載の遊技用代用貨幣。
【請求項１３】
前記着色層及び種類パーツは外部からカメラにより認識され、前記カメラから得た前記遊技用代用貨幣の価値及び前記種類が前記ＲＦＩＤから得られる情報と照合されて検査が可能な、請求項１２に記載の遊技用代用貨幣。
【請求項１４】
前記種類パーツは、遊技用代用貨幣の周方向に等角度間隔で複数個配置されている、請求項１１から１３のいずれかに記載の遊技用代用貨幣。
【請求項１５】
視認可能な表面を有する表面層と前記表面層の内側に位置する中間層とを含む複数の層を積層してなる遊技用代用貨幣であって、
前記表面層の外縁には、切り欠きが形成されており、
前記切り欠きには遊技用代用貨幣の種類を表す種類パーツが埋め込まれており、
前記遊技用代用貨幣の表面において、前記表面層及び前記種類パーツを視認可能であり、
前記遊技用代用貨幣の側面において、前記表面層、前記種類パーツ、及び前記中間層を視認可能である、遊技用代用貨幣。
【請求項１６】
遊技用代用貨幣の製造方法であって、
欠落部分を有するシート状の表面層を用意する工程と、
前記欠落部分に、種類パーツを埋め込んで、種類パーツ含有層を形成する工程と、
前記種類パーツ含有層とシート状の中間層とを含む複数層を熱圧着して多層積層板を構成する工程と、
打ち抜きラインが前記種類パーツを横切るように、前記多層積層板を打ち抜いて遊技用代用貨幣を得る工程と、
を含む遊技用代用貨幣の製造方法。
【請求項１７】
請求項１５に記載の遊技用代用貨幣を検査する検査システムであって、
前記遊技用代用貨幣の表面を撮影して表面画像を生成するカメラと、
前記遊技用代用貨幣の側面を撮影して側面画像を生成するカメラと、
前記表面画像から前記種類パーツの色を特定し、前記側面画像から前記種類パーツの色を特定する検査装置と、
を備えた、検査システム。
【発明の詳細な説明】
【技術分野】
【０００１】
本発明は、遊技場でのゲームに用いる遊技用代用貨幣、及びその製造方法、並びに遊技用代用貨幣の検査システムに関する。
【背景技術】
【０００２】
従来、周縁部に、周方向に間隔を空けて複数の埋め込み部分が設けられた遊技用代用貨幣が知られている。図１９は、従来の遊技用代用貨幣の斜視図である。この遊技用代用貨幣１９０において、埋め込み部分１９１と他の部分とは色の異なる材料で構成されている。よって、遊技用代用貨幣の表面及び側面において、埋め込み部分を視認可能である。
【０００３】
従来の遊技用代用貨幣は射出成型によって製造され、埋め込み部分には他の部分と異なる色の材料が射出される。これにより、側面において、周方向に沿って埋め込み部分１９１とその他の部分とで色が変化する遊技用代用貨幣が得られる。
【発明の概要】
【発明が解決しようとする課題】
【０００４】
本出願人は、複数のシート状部材を重ね合わせて熱圧着して多層積層板を形成し、多層積層板から打ち抜くことで多層構造の遊技用代用貨幣を製造する方法を提案している（例えば、国際出願番号ＰＣＴ／ＪＰ２０１６／０７２６７３）。このような多層積層板において複数のシート状部材を互いに異なる色とすることで、打ち抜きによって得られる遊技用代用貨幣の側面では、色の異なる複数の層が視認できる。
【０００５】
本発明は、表面及び側面から視認可能な埋め込み部分を有する積層構造の遊技用代用貨幣、及びその製造方法を提供することを目的とする。
【課題を解決するための手段】
【０００６】
本発明の一態様の遊技用代用貨幣は、複数のプラスチックの層が熱圧着により積層され、少なくとも中間に着色層を備え、前記着色層を挟んで両側に薄色層を積層して、側面に積層方向の縞模様を形成し、前記着色層により遊技用代用貨幣の価値が特定可能な構成を有し、前記複数のプラスチックの層の最外層以外の層にＲＦＩＤが内蔵され、前記薄色層の少なくとも一層には遊技用代用貨幣の種類を表す種類パーツが埋込まれて、側面及び表面から前記種類パーツが認識可能な形状とし、前記ＲＦＩＤは、前記遊技用代用貨幣の価値及び前記種類パーツが持つ遊技用代用貨幣の種類情報と関連する情報を備えたものである。この構成により、複数のプラスチックの層を積層した積層構造を有する遊技用代用貨幣において、表面及び側面から視認可能な埋め込み部分を実現できる。
【０００７】
上記の遊技用代用貨幣において、前記種類パーツの色は、前記着色層の色と異なっていてよい。
【０００８】
上記の遊技用代用貨幣において、前記種類パーツの色は、前記着色層の色と同じであってよい。
【０００９】
上記の遊技用代用貨幣において、前記種類パーツは、互いに異なる複数の色を含んでいてよい。
【００１０】
上記の遊技用代用貨幣において、前記種類パーツは、前記遊技用代用貨幣の種類として、ＶＩＰ用かマス用かの区別を表してよい。
【００１１】
上記の遊技用代用貨幣において、前記種類パーツは、前記遊技用代用貨幣の種類として、キャッシュチップであるか、ローリングチップであるか、プロモーションチップであるかの区別を表してよい。
【００１２】
上記の遊技用代用貨幣において、前記種類パーツは、遊技用代用貨幣の周方向に等角度間隔で複数個配置されていてよい。この構成により、遊技用代用貨幣の周方向の角度によらずに側面にて種類パーツを視認できる。
【００１３】
本発明の一態様の遊技用代用貨幣の製造方法は、着色層及び薄色層を含む複数のプラスチックの層を準備する工程と、前記薄色層に遊技用代用貨幣の種類を表す種類パーツを埋め込んで種類パーツ含有層を形成する工程と、少なくとも中間に着色層を配置し、前記着色層を挟んで両側に種類パーツ含有層を積層し、更に前記複数のプラスチックの層間にＲＦＩＤを配置して、熱圧着により各層を圧着して多層積層板を形成する多層積層工程と、前記多層積層板から、個別の遊技用代用貨幣を打ち抜く打ち抜き工程とを有し、前記打ち抜き工程では、多層積層板から遊技用代用貨幣を打ち抜く打ち抜きラインが前記種類パーツを横断するように多層積層板の打ち抜きし、打ち抜き後の前記遊技用代用貨幣の側面及び表面から前記種類パーツが認識可能な形状となるように多層積層板の打ち抜きを行う。この構成により、打ち抜いた際の切断面に種類パーツが露出することになり、表面側からだけでなく側面側からも種類パーツを視認できる遊技用代用貨幣が得られる。
【００１４】
上記の製造方法において、前記種類パーツ含有層を形成する工程では、複数個の前記種類パーツが打ち抜き予定の遊技用代用貨幣の周方向に等角度間隔で埋め込まれてよい。この構成により、遊技用代用貨幣の周方向の角度によらずに側面にて種類パーツを視認できる。
【００１５】
上記の製造方法は、前記遊技用代用貨幣の価値情報及び前記種類パーツが持つ遊技用代用貨幣の種類情報と前記ＲＦＩＤの情報とを関連付けるデータベース作成工程を更に備えていてよい。この構成により、データベースを参照して、ＲＦＩＤの情報に関連付けられた遊技用代用貨幣の価値情報と種類情報を特定できる。
【００１６】
本発明の一態様の遊技用代用貨幣は、表面に遊技用代用貨幣の価値を表す表示を備え、少なくとも中間に着色層を有することで側面に積層方向の縞模様を形成し、前記着色層により遊技用代用貨幣の価値が特定可能な構成を有し、前記着色層とは異なる色で形成され側面及び表面から認識可能な位置に種類パーツが埋め込まれており、前記種類パーツは遊技用代用貨幣の価値以外の種類を表す。この構成により、側面及び表面のいずれの面でも種類パーツを認識可能であり、遊技用代用貨幣の種類を特定できる。
【００１７】
上記の遊技用代用貨幣は、内部にＲＦＩＤを内蔵していてよく、前記ＲＦＩＤは、前記遊技用代用貨幣の価値及び前記種類パーツが持つ遊技用代用貨幣の種類と関連する情報を備えたものであってよい。この構成により、ＲＦＩＤを読み取ることで価値及び種類に関連付けられた情報を取得できる。
【００１８】
上記の遊技用代用貨幣において、前記着色層及び種類パーツは外部からカメラにより認識されてよく、前記カメラから得た前記遊技用代用貨幣の価値及び前記種類が前記ＲＦＩＤから得られる情報と照合されて検査が可能であってよい。この構成により、価値及び種類とＲＦＩＤとの組み合わせを利用して遊技用代用貨幣の検査が可能である。
【００１９】
上記の遊技用代用貨幣において、前記種類パーツは、遊技用代用貨幣の周方向に等角度間隔で複数個配置されていてよい。この構成により、遊技用代用貨幣の周方向の角度によらずに側面にて種類パーツを視認できる。
【００２０】
本発明の一態様の遊技用代用貨幣は、視認可能な表面を有する表面層と前記表面層の内側に位置する中間層とを含む複数の層を積層してなる遊技用代用貨幣であって、前記表面層の外縁には、切り欠きが形成されており、前記切り欠きには遊技用代用貨幣の種類を表す種類パーツが埋め込まれており、前記遊技用代用貨幣の表面において、前記表面層及び前記種類パーツを視認可能であり、前記遊技用代用貨幣の側面において、前記表面層、前記種類パーツ、及び前記中間層を視認可能である。
【００２１】
本発明の一態様の遊技用代用貨幣の製造方法は、欠落部分を有するシート状の表面層を用意する工程と、前記欠落部分に、種類パーツをはめ込んでで、種類パーツ含有層を形成する工程と、前記種類パーツ含有層とシート状の中間層とを含む複数層を熱圧着して多層積層板を構成する工程と、打ち抜きラインが前記種類パーツを横切るように、前記多層積層板を打ち抜いて遊技用代用貨幣を得る工程とを含む。
【００２２】
本発明の一態様の検査システムは、上記の遊技用代用貨幣を検査する検査システムであって、前記遊技用代用貨幣の表面を撮影して表面画像を生成するカメラと、前記遊技用代用貨幣の側面を撮影して側面画像を生成するカメラと、前記表面画像から前記種類パーツの色を特定し、前記側面画像から前記種類パーツの色を特定する検査装置とを備えている。
【図面の簡単な説明】
【００２３】
【図１】図１は、本発明の実施の形態の遊技用代用貨幣の斜視図である。
【図２】図２は、本発明の実施の形態の遊技用代用貨幣の製造方法のフロー図である。
【図３】図３は、本発明の実施の形態の表面層となるシート状部材の平面図である。
【図４】図４は、本発明の実施の形態の種類パーツ部材を製作するためのシート状部材の平面図である。
【図５】図５は、本発明の実施の形態のシート状部材から打ち抜いて得られた種類パーツ部材を示す斜視図である。
【図６】図６は、本発明の実施の形態の種類パーツ部材がはめ込まれたシート状部材の平面図である。
【図７】図７は、本発明の実施の形態の複数のシート部材の積層を説明する図である。
【図８】図８は、本発明の実施の形態の打ち抜き後の多層積層板と打ち抜きによって得られた遊技用代用貨幣の平面図である。
【図９】図９は、本発明の実施の形態の検査システムの構成を示すブロック図である。
【図１０】図１０は、本発明の実施の形態のカメラの設置例を示す図である。
【図１１】図１１は、本発明の実施の形態のカメラ及びＲＦリーダの設置例を示す図である。
【図１２】図１２は、本発明の実施の形態の変形例の種類パーツ部材がはめ込まれたシート状部材の平面図である。
【図１３】図１３は、本発明の実施の形態の変形例の種類パーツ部材がはめ込まれたシート状部材の平面図である。
【図１４】図１４は、本発明の実施の形態の変形例の種類パーツを製作するためのシート状部材の平面図である。
【図１５】図１５は、本発明の実施の形態の変形例のシート状部材から打ち抜いて得られた種類パーツ部材を示す斜視図である。
【図１６】図１６は、本発明の実施の形態の変形例の変形例の種類パーツ部材がはめ込まれたシート状部材の平面図である。
【図１７】図１７は、本発明の実施の形態の変形例の種類パーツが埋め込まれた遊技用代用貨幣の斜視図である。
【図１８】図１８は、本発明の実施の形態の変形例の種類パーツ部材がはめ込まれたシート状部材の平面図である。
【図１９】図１９は、従来の遊技用代用貨幣の斜視図である。
【図２０】図２０は、種類パーツが埋め込まれた変形例の遊技用代用貨幣の斜視図である。
【図２１】図２１は、種類パーツが埋め込まれた変形例の遊技用代用貨幣の斜視図である。
【図２２】図２２は、種類パーツが埋め込まれた変形例の遊技用代用貨幣の斜視図である。
【図２３】図２３は、種類パーツが埋め込まれた変形例の遊技用代用貨幣の斜視図である。
【図２４】図２４は、種類パーツが埋め込まれた変形例の遊技用代用貨幣の斜視図である。
【図２５】図２５は、種類パーツが埋め込まれた変形例の遊技用代用貨幣の斜視図である。
【図２６】図２６は、種類パーツが埋め込まれた変形例の遊技用代用貨幣の斜視図である。
【図２７】図２７は、種類パーツが埋め込まれた変形例の遊技用代用貨幣の斜視図である。
【図２８】図２８は、種類パーツが埋め込まれた変形例の遊技用代用貨幣の斜視図である。
【図２９】図２９は、種類パーツが埋め込まれた変形例の遊技用代用貨幣の斜視図である。
【図３０】図３０は、種類パーツが埋め込まれた変形例の遊技用代用貨幣の斜視図である。
【発明を実施するための形態】
【００２４】
図１は、本発明の実施の形態の遊技用代用貨幣の斜視図である。本実施の形態の遊技用代用貨幣１０は、複数枚のプラスチックのシート状部材を積層して熱圧着した後に円形に打ち抜くことで製造される。よって、図１に示すように、遊技用代用貨幣１０は、厚さ方向に複数枚の層を積層した積層構造を有している。遊技用代用貨幣１０の側面には、積層した複数枚のシート状部材による積層構造が露出して、積層方向に縞模様が形成されている。
【００２５】
遊技用代用貨幣１０は、中間層として着色層１２を備え、着色層１２を挟んで両側に表面層としての薄色層１１が積層された構成を有している。薄色層１１の表面は外から視認可能である。着色層１２の色は遊技用代用貨幣１０の価値（２０ドル、１００ドル、１０００ドル等）に対応している。すなわち、遊技用代用貨幣１０は、その価値に応じて色の異なる着色層１２を有している。薄色層１１の色は、着色層１２のいずれの色よりも薄い色であり、複数種類の価値に共通の色である。薄色層１１は、典型的には白色である。よって、遊技用代用貨幣１０は、側面を観察することで着色層１２の色によってその価値を特定可能である。
【００２６】
薄色層１１の表面は後述するように印刷が施され、その上に透明層が設けられる。よって薄色層１１の表面の印刷は透明層を介して視認可能である。薄色層１１の外縁部には、切り欠き１１ａが形成されている。薄色層１１の切り欠き１１ａには種類パーツ１３が埋め込まれている。種類パーツ１３は、遊技用代用貨幣１０の外縁に周方向（回転方向）に等角度間隔で複数個配置されており、図１の例では、９０度の角度間隔で４つ配置されている。
【００２７】
遊技用代用貨幣１０には、価値情報、識別情報、及び種類情報が付与されている。ここで、価値情報は、遊技用代用貨幣１０の価値（１０ドル、２０ドル、１００ドル、１０００ドル等）を表す情報であり、識別情報は、各遊技用代用貨幣１０を唯一に特定可能なユニークな情報であり、種類情報は、各遊技用代用貨幣１０の価値以外の種類を表す情報である。種類情報は、例えば、ローリングチップであるかキャッシュチップであるかを区別する情報、ジャンケットごとに異なり、ジャンケットを特定するためのジャンケット情報、カジノごとに異なり、カジノを特定するためのカジノ情報のいずれかであってよい。
【００２８】
価値情報、識別情報、及び種類情報は、遊技用代用貨幣１０の表面にて視認可能である。具体的には、価値情報は、遊技用代用貨幣１０の表面に数字１７で表記されている。識別情報は、コード化されて遊技用代用貨幣１０の表面にマーク１４、１５として表記されている。また、種類パーツ１３は種類に応じて着色されており、種類情報は、種類パーツ１３の色によって表現される。なお、種類パーツ１３の色は、着色層１２のいずれの色とも異なる色である。よって、遊技用代用貨幣１０は、種類パーツ１３の色によって種類を特定可能である。
【００２９】
また、価値情報及び種類情報は、遊技用代用貨幣１９の側面にて視認可能である。具体的には、価値情報は、遊技用代用貨幣１０の側面にて観察される着色層１２の色によって表現される。また、色によって種類情報を表す種類パーツ１３は、側面においても視認可能である。
【００３０】
さらに、識別情報は、遊技用代用貨幣１０に内蔵されるＲＦＩＤチップ（以下、単に「ＲＦＩＤ」という。）１６に記憶されている。よって、遊技用代用貨幣１０をＲＦリーダで読むことにより、ＲＦＩＤ１６に記憶された識別情報を読み取ることができる。
【００３１】
このように、価値情報、及び識別情報は、それぞれ複数の形式で遊技用代用貨幣１０に付与されているが、真正の遊技用代用貨幣に付与される複数の価値情報、及び識別情報は、それぞれ一致している。また、識別情報と価値情報及び種類情報との対応関係はデータベースに記憶されており、マーク１４、１５又はＲＦＩＤ１６から識別情報が特定されると、データベースを参照することにより、当該識別情報に対応する価値情報及び種類情報を特定することができる。
【００３２】
次に、遊技用代用貨幣１０の製造方法について説明する。図２は、遊技用代用貨幣１０の製造方法のフロー図である。まず、表面層となる薄色層１１を構成するプラスチック製のシート状部材１１０に、価値情報を表す数字１７、マーク１４、１５その他の模様を印刷する（ステップＳ２１）。後述するように、遊技用代用貨幣１０は、シート状部材を打ち抜いて製造され、１つのシート状部材から複数の遊技用代用貨幣１０が得られるため、これに対応して表面層となるシート状部材１１０の複数の打ち抜き予定範囲１１１内に遊技用代用貨幣１０に対応する印刷を行う。
【００３３】
次に、表面層となるシート状部材１１０に種類パーツ部材１３１をはめ込むための欠落部分１１２を形成するために、種類パーツ部材１３１の形状に対応した形状に打ち抜きを行う（ステップＳ２２）。図３は、表面層となるシート状部材１１０の平面図である。図３に示すように、シート状部材１１０には、複数の打ち抜き予定範囲１１１が設けられており、図３では図示を省略しているが、この中に遊技用代用貨幣１０に対応した印刷がされている。欠落部分１１２は、各打ち抜き予定範囲１１１の内外にまたがって、打ち抜き予定範囲１１１の外縁と交差するように形成される。本実施の形態では、上述のように９０度の当角度間隔で種類パーツ１３が埋め込まれるので、欠落部分１１２も打ち抜き予定範囲１１１の外縁の外周方向に沿って９０度の当角度間隔で４つ形成される。
【００３４】
一方で、欠落部分１１２にはめ込むための種類パーツ部材１３１もプラスチック製のシート状部材１３０から打ち抜いて製作する。図４は、種類パーツ部材１３１を製作するためのシート状部材１３０の平面図である。このシート状部材１３０は、表面層となるシート状部材１１０と同じ厚さであり、シート状部材１１０とは異なる色を有している。図４に示すように、シート状部材１３０から欠落部分１１２に対応する形状の種類パーツ部材１３１を打ち抜く。
【００３５】
図５は、シート状部材１３０から打ち抜いて得られた種類パーツ部材１３１を示す斜視図である。図３〜図５に示すように、欠落部分１１２及びそこにはめ込まれる種類パーツ部材１３１は、長手方向の両端が丸まった概略長方形であり、上下方向及び左右方向にそれぞれ対称の形状を有している。
【００３６】
次に、シート状部材１３０から打ち抜いて得られた種類パーツ部材１３１を表面層となるシート状部材１１０の欠落部分１１２にはめ込む（ステップＳ２３）。図６は、種類パーツ部材１３１がはめ込まれたシート状部材１１０の平面図である。なお、種類パーツ１３１は、後述する熱圧着工程においてシート状部材１１０及び着色層１２となるシート状部材１２０と圧着されるので、このはめ込みの際には、シート状部材１１０と種類パーツ部材１３１とを接着する必要はない。
【００３７】
次に、上述の種類パーツ部材１３１がはめ込まれたシート状部材１１０及びシート状部材１２０を含む複数のシート状部材を積層する（ステップＳ２４）。図７は、複数のシート部材の積層を説明する図である。本実施の形態では、着色層１２を２枚のシート部材１２０によって構成する。着色層１２となる２枚のシート部材１２０の間には、打ち抜き予定範囲１１１の中央にＲＦＩＤ１６が配置される。
【００３８】
間にＲＦＩＤ１６を挟んだ２枚のシート部材１２０の両外側には、それぞれ印刷層１１３が外側になるようにして、欠落部分１１２に種類パーツ部材１３１がはめ込まれたシート部材１１０（種類パーツ含有層）が積層される。さらに、２つの種類パーツ含有層の各々の外側には保護層となる透明層１７０が積層される。なお、図７では各層の間が空いているが、積層の工程（ステップＳ２４）では、複数の層が隙間なく重ね合わされる。
【００３９】
このように複数のシート部材が積層された状態で熱圧着が行われる（ステップＳ２５）。この熱圧着によって、各隣り合う層どうしが圧着されて、全体として多層積層板１００が形成される。ＲＦＩＤ１６は、シート部材１２０が熱によって変形することで、２枚のシート部材１２０の間に埋め込まれる。
【００４０】
次に、多層積層板１００から、遊技用代用貨幣１０を打ち抜く（ステップＳ２６）。図８は、打ち抜き後の多層積層板１００と打ち抜きによって得られた遊技用代用貨幣１０の平面図である。上述のように、種類パーツ部材１３１は、各遊技用代用貨幣１０の打ち抜き予定範囲１１１の外縁と交差するように配置されているので、打ち抜き予定範囲１１１の外縁（打ち抜きライン）は種類パーツ部材１３１を横切り、種類パーツ部材１３１が切断される。
【００４１】
その結果、欠落部分１１２が切り欠き１１ａとなって、その切り欠き１１ａに、切断された種類パーツ１３が埋め込まれた図１に示すような遊技用代用貨幣１０が得られ、種類パーツ１３の切断面は、薄色層１１の側面において露出する。よって、種類パーツ１３は、表面側からも側面側からも視認可能となる。このように、表面層である薄色層１１の外縁に形成された切り欠き１１ａに埋め込まれた種類パーツ１３は、遊技用代用貨幣１０の薄色層１１を側面から観察したときに、周方向に色の変化をもたらす。
【００４２】
なお、表面層への印刷は遊技用代用貨幣１０の打ち抜き後に行ってもよい。その場合には、印刷後に印刷層に対して保護層となる透明塗料が塗布されてよい。
【００４３】
次に、上記のようにして製造された遊技用代用貨幣１０を検査する検査システムについて説明する。図９は、本実施の形態の検査システムの構成を示すブロック図である。検査システム５０は、遊技用代用貨幣１０と、カメラ５１と、カメラ５２と、ＲＦリーダ５３とを備えている。
【００４４】
図１０は、カメラ５１の設置例を示す図であり、図１１は、カメラ５２及びＲＦリーダ５３の設置例を示す図である。カメラ５１は、図１０に示すように、テーブルＴｂの上方に設置される。カメラ５１は、テーブルＴｂに置かれた遊技用代用貨幣１０の表面を撮影するように構成、配置された光学系５１１を備えている。カメラ５１は、光学系５１１を用いて遊技用代用貨幣１０の表面を撮影して画像（表面画像）を生成する。
【００４５】
また、カメラ５２は、図１１に示すように、チップトレイＴｒの上方に設置される。カメラ５２は、遊技用代用貨幣１０の側面を撮影するように構成、配置された光学系５２１を備えている。カメラ５２は、光学系５２１を用いて遊技用代用貨幣１０の側面を撮影して画像（側面画像）を生成する。また、ＲＦリーダ５３は、遊技用代用貨幣１０のＲＦＩＤ１６に対して電波を送信し、かつＲＦＩＤ１６から電波を受信するように構成、配置されたアンテナ５３１を備えている。ＲＦリーダ５３は、図１１に示すように、アンテナ５３１を用いて、チップトレイＴｒに収容された遊技用代用貨幣１０のＲＦＩＤ１６に記憶された情報を読み取る。
【００４６】
検査システム５０は、さらに、記録装置５４と、検査装置５５と、データベース５６と、出力装置５７とを備えている。記録装置５４は、カメラ５１で得られた表面画像、カメラ５２で得られた側面画像、及びＲＦリーダ５３で読み取られた情報を記録する。検査装置５５は、記録装置５４に記録された画像や情報に基づいて検査を行う。
【００４７】
上述のように、遊技用代用貨幣１０の表面には、中央の数字１７の表記によって価値情報が表されており、マーク１４、１５によって識別情報が表されており、種類パーツ１３の色によって種類情報が表れている。検査装置５５は、表面画像に対して、画像認識処理を行うことで、これらの価値情報、識別情報、及び種類情報をそれぞれ認識する。なお、この画像認識処理にはニューラルネットワークを用いてよい。
【００４８】
また、遊技用代用貨幣１０の側面には、中間層（着色層１２）の色によって価値情報が表されており、種類パーツ１３の色によって種類情報が表されている。検査装置５５は、側面画像に対して、画像認識処理を行うことで、これらの価値情報、及び種類情報をそれぞれ認識する。なお、この画像認識処理にはニューラルネットワークを用いてよい。
【００４９】
データベース５６には、識別情報と対応づけて、価値情報及び種類情報が記憶されている。検査装置５５は、カメラ５１の表面画像からマーク１４、１５に基づいて識別情報を特定したときに、データベース５６を参照して、当該識別情報に対応づけて記憶された価値情報及び種類情報を特定する。検査装置５５は、このようにして特定された価値情報及び種類情報と、カメラ５１の表面画像から数字及び種類パーツ１３の色に基づいて特定した価値情報及び種類情報とを比較して一致するか否か、即ち遊技用代用貨幣１０の真贋を判断する。両者が一致しない場合、即ち遊技用代用貨幣１０が偽造されたものである場合には、出力装置５７は警報を出力する。出力装置５７は、警報を出力するブザー、ランプ等であってよい。
【００５０】
一方、検査装置５５は、ＲＦリーダ５３でＲＦＩＤ１６に記憶された識別情報を読み取ったときに、データベース５６を参照して、当該識別情報に対応づけて記憶された価値情報及び種類情報を特定する。検査装置５５は、このようにして特定された価値情報及び種類情報と、カメラ５２の側面画像から着色層１２の色及び種類パーツ１３の色に基づいて特定した価値情報及び種類情報とを比較して一致するか否か、即ち遊技用代用貨幣１０の真贋を判断する。両者が一致しない場合、即ち遊技用代用貨幣１０が偽造されたものである場合には、出力装置５７は警報を出力する。
【００５１】
以上のように本実施の形態によれば、積層構造の遊技用代用貨幣１０において、周方向の一部に表面側からも側面側からも視認可能な部分（種類パーツ１３の部分）が形成される。この部分の色で例えば種類情報を表現することができる。この種類情報を表面側からも側面側からも視認できるので、カメラ５１のように表面を撮影するカメラによっても、カメラ５２のように側面を撮影するカメラによっても種類情報を認識することが可能になる。
【００５２】
以下、上記の実施の形態の遊技用代用貨幣１０の製造方法の変形例を説明する。図１２は、変形例の種類パーツ部材１３１１がはめ込まれたシート状部材１１０の平面図であり、図６に対応する図である。この例では、１つの種類パーツ部材１３１１が隣り合う遊技用代用貨幣１０に共通に用いられる。すなわち、種類パーツ部材１３１１の一端部分は打ち抜きによって１つの遊技用代用貨幣１０の種類パーツ１３となり、他端部分は打ち抜きによって当該１つの遊技用代用貨幣１０の隣の遊技用代用貨幣１０の種類パーツ１３となる。本変形例によれば、シート状部材１１０にはめ込む種類パーツ部材の個数を少なくすることができ、製造コストの低減に有利である。
【００５３】
図１３は、変形例の種類パーツ部材１３１２がはめ込まれたシート状部材１１０の平面図であり、図６に対応する図である。この例では、縦方向に並ぶ種類パーツ部材１３１１が互いに連結して１つの種類パーツ部材１３１２を構成している。図１４は、種類パーツ１３１２を製作するためのシート状部材１３０の平面図であり、図４に対応する図である。図１５は、シート状部材１３０から打ち抜いて得られた種類パーツ部材１３１２を示す斜視図である。このように、複数の種類パーツ部材１３１１を連結することで、シート状部材１１０にはめ込む種類パーツ部材の個数をより少なくすることができ、製造コストの低減により有利である。
【００５４】
図１６は、変形例の種類パーツ部材１３１３がはめ込まれたシート状部材１１０の平面図であり、図６に対応する図である。この例では、縦方向及び横方向に並ぶ種類パーツ部材１３１１が互いに連結して１つの種類パーツ部材１３１３を構成している。すなわち、シート状部材１１０の周辺部にはめ込まれる種類パーツ部材１３１を除いてすべての種類パーツ部材１３１１が連結されて種類パーツ部材１３１３を構成している。この例によれば、種類パーツ部材の個数をさらに少なくすることができ、製造コストの低減にさらに有利である。
【００５５】
次に、種類パーツの変形例について説明する。図１７は、変形例の種類パーツ１３´が埋め込まれた遊技用代用貨幣１０の斜視図である。種類パーツ１３´は、中央パーツ１３８と、中央パーツ１３８を挟むサイドパーツ１３９からなる。この変形例の種類パーツ１３´は、中央パーツ１３８とサイドパーツ１３９との色を異ならせることで、２つの情報を表現することができる。例えば、中央パーツ１３８の色で１つの種類情報（例えば、カジノ情報）を表し、サイドパーツ１３９の色で他の１つの種類情報（例えば、ジャンケット情報）を表すことができる。
【００５６】
図１８は、種類パーツ部材１３１´がはめ込まれたシート状部材１１０の平面図であり、図６に対応する図である。シート状部材１１０の各欠落部分１１２には、１つの中央パーツ部材１３８１と、２つのサイドパーツ部材１３９１がはめ込まれる。中央パーツ部材１３８及びサイドパーツ部材１３９１は、シート状部材１１０と同一の厚さで、色の異なるシート状部材から打ち抜いて製作される。
【００５７】
なお、上記の実施の形態では、ＲＦＩＤ１６は、着色層１２を構成する２枚のシート状部材１２０の間に挿入されたが、ＲＦＩＤ１６は、遊技用代用貨幣１０に内蔵されていればよく、例えば、薄色層１１と着色層１２との間にＲＦＩＤ１６を配置してもよい。また、この場合には、着色層１２を１枚のシート状部材１２０で構成してもよい。さらに、遊技用代用貨幣１０を構成する層の数は上記の実施の形態よりも多くても少なくてもよい。
【００５８】
また、上記の実施の形態では、中間層を着色層１２とし、表面層を薄色層１１としたが、逆に、中間層を薄色層１１として、表面層を着色層１２としてもよい。この場合には、着色層１２に切り欠きが形成されて種類パーツ１３が埋め込まれることになる。なお、上記の実施の形態では、表面層である薄色層１１の外側に透明の保護層が設けられ、実際に遊技用代用貨幣１０の表面を構成するのは当該保護層であったが、表面を観察することによって薄色層１１の表面（の印刷）を視認できるため、本願では、そのように遊技用代用貨幣１０の表面側から視認できる面を持つ層を表面層という。表面層は最外層であってもよい。
【００５９】
また、上記の実施の形態では、シート状部材１１０の欠落部分１１２に種類パーツ部材１３１をはめ込んだ後に他のシート状部材と重ね合わせたが、これに代えて、欠落部分１１２が形成されたシート状部材１１０を他のシート状部材と重ね合わせた後に、欠落部分１１２に種類パーツ部材１３１をはめ込んでもよい。
【００６０】
また、上記の実施の形態では、遊技用代用貨幣１０の表裏の両方の表面層に種類パーツ１３が埋め込まれていたが、いずれか一方の表面層にのみ種類パーツ１３が埋め込まれていてよい。また、上記の実施の形態では、一方の表面層に、９０度の間隔をあけて４つの種類パーツが埋め込まれたが、種類パーツ１３の数はこれより多くても少なくてもよい。種類パーツ１３が当角度間隔で２つ以上あれば、図１１に示すように、遊技用代用貨幣１０の半分以上を露出させてチップトレイＴｒに収容した際に、遊技用代用貨幣１０の周方向の向きに関わらず、カメラ５２によって少なくとも１つの種類パーツ１３を観察可能である。よって、種類パーツ１３は１つの表面層に２つ以上設けることが望ましい。
【００６１】
また、上記の実施の形態の遊技用代用貨幣１０には、マーク１４、１５やＲＦＩＤ１６の形式で識別情報が付与されていたが、遊技用代用貨幣１０は識別情報を有しないものであってもよい。
【００６２】
以下、種類パーツの変形例をさらに説明する。図２０は、種類パーツが埋め込まれた変形例の遊技用代用貨幣１０の斜視図である。種類パーツ３１は、着色層１２と同じ色である。このために、種類パーツ３１は、着色層１２と同じ材料を採用している。種類パーツ３１は、遊技用代用貨幣１０の外縁に周方向に等角度間隔で複数個配置されている。本変形例では、各種類パーツ３１は、比較的幅広であり、周方向に９０度の角度間隔で４つ配置されている。
【００６３】
図２１は、種類パーツが埋め込まれた他の変形例の遊技用代用貨幣１０の斜視図である。種類パーツ３２は、着色層１２と同じ色である。このために、種類パーツ３２は、着色層１２と同じ材料を採用している。種類パーツ３２は、遊技用代用貨幣１０の外縁に周方向に等間隔で複数個配置されている。本変形例では、種類パーツ３２は、比較的幅狭の形状を有する。また、本変形例では、種類パーツ３２は、周方向に９０度の角度間隔で４つ配置されている。
【００６４】
図２２は、種類パーツが埋め込まれた他の変形例の遊技用代用貨幣１０の斜視図である。種類パーツ３３は、着色層１２と同じ色である。このために、種類パーツ３３は、着色層１２と同じ材料を採用している。本変形例では、種類パーツ３３は、比較的幅狭の形状を有する。また、本変形例では、周方向に比較的狭い間隔で配置された２つの種類パーツ３３が１組となって、各組が遊技用代用貨幣１０の外縁に周方向に等角度間隔で複数組配置されている。本変形例では、４組の種類パーツ３３が、周方向に９０度の角度間隔で配置されている。
【００６５】
図２３は、種類パーツが埋め込まれた他の変形例の遊技用代用貨幣１０の斜視図である。種類パーツ３４は、着色層１２と同じ色である。このために、種類パーツ３４は、着色層１２と同じ材料を採用している。本変形例では、種類パーツ３４は、比較的幅狭の形状を有する。また、本変形例では、周方向に比較的広い間隔で配置された２つの種類パーツ３４が１組となって、複数の組が遊技用代用貨幣１０の外縁に周方向に等角度間隔で配置されている。本変形例では、４組の種類パーツ３４が、周方向に９０度の角度間隔で配置されている。
【００６６】
図２４は、種類パーツが埋め込まれた他の変形例の遊技用代用貨幣１０の斜視図である。種類パーツ３５は、着色層１２と同じ色である。このために、種類パーツ３５は、着色層１２と同じ材料を採用している。本変形例では、種類パーツ３５は、比較的幅狭の形状を有する。また、本変形例では、周方向に比較的狭い間隔で配置された３つの種類パーツ３５が１組となって、複数の組が遊技用代用貨幣１０の外縁に周方向に等角度間隔で配置されている。本変形例では、４組の種類パーツ３５が、周方向に９０度の角度間隔で配置されている。
【００６７】
図２５は、種類パーツが埋め込まれた他の変形例の遊技用代用貨幣１０の斜視図である。種類パーツ３６は、着色層１２とは異なる色である。このために、種類パーツ３６は、着色層１２とは異なる材料を採用している。種類パーツ３６は、遊技用代用貨幣１０の外縁に周方向に等間隔で複数個配置されている。本変形例では、種類パーツ３６は、比較的幅狭の形状を有する。また、本変形例では、種類パーツ３６は、周方向に９０度の角度間隔で４つ配置されている。
【００６８】
図２６は、種類パーツが埋め込まれた他の変形例の遊技用代用貨幣１０の斜視図である。種類パーツ３７は、着色層１２とは異なる色である。このために、種類パーツ３７は、着色層１２とは異なる材料を採用している。本変形例では、種類パーツ３７は、比較的幅狭の形状を有する。また、本変形例では、周方向に比較的狭い間隔で配置された２つの種類パーツ３７が１組となって、複数の組が遊技用代用貨幣１０の外縁に周方向に等角度間隔で配置されている。本変形例では、４組の種類パーツ３７が、周方向に９０度の角度間隔で配置されている。
【００６９】
図２７は、種類パーツが埋め込まれた他の変形例の遊技用代用貨幣１０の斜視図である。種類パーツ３８は、着色層１２とは異なる色である。このために、種類パーツ３８は、着色層１２とは異なる材料を採用している。本変形例では、種類パーツ３８は、比較的幅狭の形状を有する。また、本変形例では、周方向に比較的狭い間隔で配置された２つの種類パーツ３８が１組となって、複数の組が遊技用代用貨幣１０の外縁に周方向に等角度間隔で配置されている。本変形例では、４組の種類パーツ３８が、周方向に９０度の角度間隔で配置されている。
【００７０】
図２８は、種類パーツが埋め込まれた他の変形例の遊技用代用貨幣１０の斜視図である。種類パーツ３９は、着色層１２とは異なる色である。このために、種類パーツ３９は、着色層１２とは異なる材料を採用している。本変形例では、種類パーツ３９は、比較的幅狭の形状を有する。また、本変形例では、周方向に比較的狭い間隔で配置された３つの種類パーツ３９が１組となって、複数の組が遊技用代用貨幣１０の外縁に周方向に等角度間隔で配置されている。本変形例では、４組の種類パーツ３９が、周方向に９０度の角度間隔で配置されている。
【００７１】
図２９は、種類パーツが埋め込まれた他の変形例の遊技用代用貨幣１０の斜視図である。本変形例では、互いに色の異なる２種類の種類パーツ４０１及び４０２が１組となって、複数の組が遊技用代用貨幣１０の外縁に周方向に等角度間隔で配置されている。本変形例では、４組の種類パーツ４０１及び４０２の組が、周方向に９０度の角度間隔で配置されている。種類パーツ４０１及び４０２の色は互いに異なっており、かつ、種類パーツ４０１及び４０２の各色は、いずれも着色層１２の色と異なっている。各種類パーツは、比較的幅狭の形状を有する。
【００７２】
図３０は、種類パーツが埋め込まれた他の変形例の遊技用代用貨幣１０の斜視図である。本変形例では、互いに色の異なる２種類の種類パーツ４１１及び４１２が１組となって、複数の組が遊技用代用貨幣１０の外縁に周方向に等角度間隔で配置されている。本変形例では、２つの種類パーツ４１１と１つの種類パーツ４１２で１組が構成されている。また、本変形例では、４組の種類パーツ４０１及び４０２の組が、周方向に９０度の角度間隔で配置されている。種類パーツ４０１及び４０２の色は互いに異なっており、かつ、種類パーツ４０１及び４０２の各色は、いずれも着色層１２の色と異なっている。各種類パーツは、比較的幅狭の形状を有する。
【００７３】
なお、図２０〜３０の例では、価値情報を表す中央の数字１７、識別情報を表すマーク１４、１５の図示は省略しているが、各変形例の遊技用代用貨幣には、上記の実施の形態と同様、または上記の実施の形態と異なる表記がされていてよい。
【００７４】
次に、種類パーツが埋め込まれた遊技用代用貨幣１０の用途について説明する。上述のように、種類パーツは、種類情報を表しており、種類情報は、例えば、ローリングチップであるかキャッシュチップであるかを区別する情報、ジャンケットごとに異なり、ジャンケットを特定するためのジャンケット情報、カジノごとに異なり、カジノを特定するためのカジノ情報のいずれかであってよい。
【００７５】
また、遊技用代用貨幣１０の種類としては、大きく分けてＶＩＰ用チップと、通常のマス用チップとの２種類が用意される。なお、ＶＩＰ用チップは、ＶＩＰプレイヤが用いることのできる遊技用代用貨幣であり、ＶＩＰプレイヤになるためには、例えばカジノに一定以上のデポジットを支払う等の条件が課される。
【００７６】
そして、ＶＩＰ用チップとマス用チップのそれぞれについて、キャッシュチップ、ローリングチップ、プロモーションチップ等の種類が用意されてる。キャッシュチップは、現金化が可能な遊技用代用貨幣である。ローリングチップは、それを用いてゲームに参加してゲームに勝った際にキャップチップを得ることができる遊技用代用貨幣である。また、プロモーションチップは、プロモーションにおいて配られる遊技用代用貨幣である。
【００７７】
ここで、ローリングチップについて、さらに説明する。「ローリング」とは、キャッシュチップをローリングチップに交換する行為をいう。ローリングチップは、一定のデポジットをカジノに支払ってローリングプログラムを開いたプレイヤだけが購入することが可能である。プレイヤがローリングチップを使ってゲームに参加して、ゲームに勝った際には、その支払いはキャッシュチップで行われる。プレイヤは、キャッシュチップ（または現金）をローリングチップに交換することが可能であり、このローリングが行われるたびに、そのローリングの総額に対して所定の割合のコミッションがプレイヤに還元される。したがって、ローリングの額が大きくなれば、プレイヤはその分多くのコミッションを得ることができる。このように、ローリングチップとキャッシュチップとの交換をし続ける（回す）という行為から、「ローリング」と呼ばれる。ローリングの際に発生するコミッションの額は、システムに入力されて管理されている。
【００７８】
次に、ジャンケットチップについて、さらに説明する。ジャンケットが使用する遊技用代用貨幣には、ジャンケットごとのマークが入っている。多数のジャンケットをそれぞれ区別するためには、種類パーツの形状及び配置のみでは足りない。そのような場合には、図１７、図２９、図３０の例のように、複数の色の組み合わせによってジャンケットを区別するための種類情報を付与することが有利である。
【符号の説明】
【００７９】
１０  遊技用代用貨幣
１１  薄色層
１２  着色層
１３、１３´  種類パーツ
１４  マーク
１５  マーク
１６  ＲＦＩＤ
３１〜３９、４０１、４０２、４１１、４１２  種類パーツ
１００  多層積層板
１１０  シート状部材
１１１  打ち抜き予定範囲
１１２  欠落部分
１１３  印刷層
１２０  シート状部材
１３０  シート状部材
１３１  種類パーツ部材
１３８  中央パーツ
１３９  サイドパーツ
１３１１〜１３１３  種類パーツ部材
１３８１  中央パーツ部材
１３９１  サイドパーツ部材
１７０  透明層
５０  検査システム
５１  カメラ
５２  カメラ
５３  ＲＦリーダ
５４  記録装置
５５  検査装置
５６  データベース
５７  出力装置
【図１】
2020173837.tif 000003
【図２】
2020173837.tif 000004
【図３】
2020173837.tif 000005
【図４】
2020173837.tif 000006
【図５】
2020173837.tif 000007
【図６】
2020173837.tif 000008
【図７】
2020173837.tif 000009
【図８】
2020173837.tif 000010
【図９】
2020173837.tif 000011
【図１０】
2020173837.tif 000012
【図１１】
2020173837.tif 000013
【図１２】
2020173837.tif 000014
【図１３】
2020173837.tif 000015
【図１４】
2020173837.tif 000016
【図１５】
2020173837.tif 000017
【図１６】
2020173837.tif 000018
【図１７】
2020173837.tif 000019
【図１８】
2020173837.tif 000020
【図１９】
2020173837.tif 000021
【図２０】
2020173837.tif 000022
【図２１】
2020173837.tif 000023
【図２２】
2020173837.tif 000024
【図２３】
2020173837.tif 000025
【図２４】
2020173837.tif 000026
【図２５】
2020173837.tif 000027
【図２６】
2020173837.tif 000028
【図２７】
2020173837.tif 000029
【図２８】
2020173837.tif 000030
【図２９】
2020173837.tif 000031
【図３０】
2020173837.tif 000032
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
着色層と薄色層とを含む複数のプラスチックの層が熱圧着により積層することで側面に積層方向の縞模様を形成し、前記着色層により遊技用代用貨幣の価値が特定可能な構成を有し、
前記複数のプラスチックの層の最外層以外の層にＲＦＩＤが内蔵され、
前記薄色層の少なくとも一層には遊技用代用貨幣の種類を表す種類パーツが埋込まれて、側面前記種類パーツが認識可能な形状とし、
前記ＲＦＩＤは、前記遊技用代用貨幣の価値及び前記種類パーツで表される遊技用代用貨幣の種類と関連する情報を備えたものである、遊技用代用貨幣。
【請求項２】
前記種類パーツの色は、前記着色層の色と異なる、請求項１に記載の遊技用代用貨幣。
【請求項３】
前記種類パーツの色は、前記着色層の色と同じである、請求項１に記載の遊技用代用貨幣。
【請求項４】
前記種類パーツは、互いに異なる複数の色を含む、請求項１に記載の遊技用代用貨幣。
【請求項５】
前記種類パーツは、前記遊技用代用貨幣の種類として、ＶＩＰ用かマス用かの区別を表す、請求項１から４のいずれかに記載の遊技用代用貨幣。
【請求項６】
前記種類パーツは、前記遊技用代用貨幣の種類として、キャッシュチップであるか、ローリングチップであるか、プロモーションチップであるかの区別を表す、請求項１から５のいずれかに記載の遊技用代用貨幣。
【請求項７】
前記種類パーツは、遊技用代用貨幣の周方向に等角度間隔で複数個配置されている、請求項１に記載の遊技用代用貨幣。
【請求項８】
着色層及び薄色層を含む複数のプラスチックの層を準備する工程と、
前記薄色層に遊技用代用貨幣の種類を表す種類パーツを埋め込んで種類パーツ含有層を形成する工程と、
着色層と前記種類パーツ含有層を積層し、更に前記複数のプラスチックの層間にＲＦＩＤを配置して、熱圧着により各層を圧着して多層積層板を形成する多層積層工程と、
前記多層積層板から、個別の遊技用代用貨幣を打ち抜く打ち抜き工程と、を有し、
前記打ち抜き工程では、多層積層板から遊技用代用貨幣を打ち抜く打ち抜きラインが前記種類パーツを横断するように多層積層板の打ち抜きし、打ち抜き後の前記遊技用代用貨幣の側面から前記種類パーツが認識可能な形状となるように多層積層板の打ち抜きを行う、遊技用代用貨幣の製造方法。
【請求項９】
前記種類パーツ含有層を形成する工程では、複数個の前記種類パーツが打ち抜き予定の遊技用代用貨幣の周方向に等角度間隔で埋め込まれる、請求項８に記載の遊技用代用貨幣の製造方法。
【請求項１０】
前記遊技用代用貨幣の価値及び前記種類パーツで表される遊技用代用貨幣の種類と前記ＲＦＩＤの情報とを関連付けるデータベース作成工程を、更に備えた、請求項８又は９に記載の遊技用代用貨幣の製造方法。
【請求項１１】
表面に遊技用代用貨幣の価値を表す表示を備え、
側面に着色層と薄色層とを含む厚さ方向の縞模様を有し、前記着色層により遊技用代用貨幣の価値が特定可能な構成を有し、
前記着色層とは異なる色で形成され側面から認識可能な位置に種類パーツが埋め込まれており、
前記種類パーツは遊技用代用貨幣の価値以外の種類を表す、遊技用代用貨幣。
【請求項１２】
内部にＲＦＩＤを内蔵し、
前記ＲＦＩＤは、前記遊技用代用貨幣の価値及び前記種類パーツが持つ遊技用代用貨幣の種類と関連する情報を備えたものである、請求項１１に記載の遊技用代用貨幣。
【請求項１３】
前記着色層及び種類パーツは外部からカメラにより認識され、前記カメラから得た前記遊技用代用貨幣の価値及び前記種類が前記ＲＦＩＤから得られる情報と照合されて検査が可能な、請求項１２に記載の遊技用代用貨幣。
【請求項１４】
前記種類パーツは、遊技用代用貨幣の周方向に等角度間隔で複数個配置されている、請求項１１から１３のいずれかに記載の遊技用代用貨幣。
【請求項１５】
視認可能な表面を有する表面層と前記表面層の内側に位置する中間層とを含む複数の層を積層してなる遊技用代用貨幣であって、
前記複数の層の少なくとも１層には、切り欠きが形成されており、
前記切り欠きには遊技用代用貨幣の種類を表す種類パーツが埋め込まれており、
前記遊技用代用貨幣の表面において、前記表面層及び前記種類パーツを視認可能であり、
前記遊技用代用貨幣の側面において、前記表面層、前記種類パーツ、及び前記中間層を視認可能である、遊技用代用貨幣。
【請求項１６】
遊技用代用貨幣の製造方法であって、
欠落部分を有するシート状の表面層を用意する工程と、
前記欠落部分に、種類パーツを埋め込んで、種類パーツ含有層を形成する工程と、
前記種類パーツ含有層とシート状の中間層とを含む複数層を熱圧着して多層積層板を構成する工程と、
打ち抜きラインが前記種類パーツを横切るように、前記多層積層板を打ち抜いて遊技用代用貨幣を得る工程と、
を含む遊技用代用貨幣の製造方法。
【請求項１７】
請求項１５に記載の遊技用代用貨幣を検査する検査システムであって、
前記遊技用代用貨幣の表面を撮影して表面画像を生成するカメラと、
前記遊技用代用貨幣の側面を撮影して側面画像を生成するカメラと、
前記表面画像から前記種類パーツの色を特定し、前記側面画像から前記種類パーツの色を特定する検査装置と、
を備えた、検査システム。